(57)【要約】      （修正有）【課題】システムのプラットフォーム化が容易に行えるデジタル無線通信システムを提供する。【解決手段】回線制御装置と、上記回線制御装置のシステム情報の設定を行う運用管理装置と、上記回線制御装置は、呼制御ＣＰＵと記憶部を有し、上記記憶部に上記システム情報をシステム情報格納テーブルとして記憶し、上記呼制御ＣＰＵは、上記デジタル無線通信システムの少なくとも立ち上げ処理および状態管理処理を行う状態制御タスク実行部と、上記運用管理装置から入力されるシステム設定情報のタスク処理を行うシステム情報管理タスク実行部を有し、上記システム情報管理タスク実行部が上記システム情報格納テーブルの内容を書換えるように構成される。【選択図】図１
2008154067.tif 000002
【特許請求の範囲】
【請求項１】
回線制御装置と、上記回線制御装置に接続された少なくとも基地局および有線端末局と、上記回線制御装置のシステム情報の設定を行う運用管理装置と、上記基地局と無線回線で接続される複数の端末局を有し、上記回線制御装置は、呼制御ＣＰＵと記憶部を有し、上記記憶部に上記システム情報をシステム情報格納テーブルとして記憶し、上記呼制御ＣＰＵは、上記デジタル無線通信システムの少なくとも立ち上げ処理および状態管理処理を行う状態制御タスク実行部と、上記運用管理装置から入力されるシステム設定情報のタスク処理を行うシステム情報管理タスク実行部を有し、上記システム情報管理タスク実行部が上記システム情報格納テーブルの内容を書換えることを特徴とするデジタル無線通信システム。
【請求項２】
請求項１記載のデジタル無線通信システムにおいて、上記システム情報管理タスク実行部は、上記運用管理装置からのシステム情報更新開始情報を受けると、該システム情報更新開始情報を上記状態制御タスク実行部に送信し、上記システム情報管理タスク実行部が上記運用管理装置から入力されるシステム設定情報のタスク処理を全て終了すると、上記システム情報管理タスク実行部は、システム情報更新終了情報を上記状態制御タスク実行部に送信することを特徴とするデジタル無線通信システム。
【発明の詳細な説明】
【技術分野】
【０００１】
本発明は、デジタル無線通信システムに関し、特に、システム情報のタスク処理を機能分割したデジタル無線通信システムに関するものである。
【背景技術】
【０００２】
従来のデジタル無線通信システムの一例について、図４を用いて説明する。図４は、複数の基地局を備えたデジタル無線通信システムを示している。図４において、４０１は、回線制御装置、４０２−１、・・・４０２−ｍは、基地局である。４０３−１、・・・４０３−ｍは、基地局ゾーン、即ち、各基地局の通信エリアを示している。基地局４０２−１は、通信エリア４０３−１内に複数の端末局４０４−１、４０４−２、・・・４０４−９を有し、基地局４０２−ｍは、複数の端末局４０４−１０、４０４−１１、・・・４０４−ｎを有する。なお、基地局を代表する場合は、基地局４０２と称し、端末局を代表する場合は、端末局４０４と称し、通信エリアを代表する場合は、通信エリア４０３と称する。４０５は、運用管理装置、４０６−１、・・・４０６−ｐは、有線端末局である。有線端末局を代表する場合は、有線端末局４０６と称する。有線端末局４０６は、回線制御装置４０１と、例えば、有線の伝送路で接続されている。４０７は、保守コンソールであり、回線制御装置４０１およびデジタル無線通信システムのトラブルや不具合を監視するものである。
【０００３】
そして、このデジタル無線通信システムは、各端末局４０４と基地局間または他の基地局間あるいは基地局を経由した端末局間あるいは端末局間直接通信の通信接続サービス、あるいは、例えば、通信エリア４０３−１の圏外の端末局と通信エリア４０３−１内の端末局との通信接続サービスが行なわれるように構成されている。
【０００４】
回線制御装置４０１は、デジタル無線通信システムにおける、例えば、基地局４０２および複数の端末局４０４間の通信接続およびサービスエリアの維持、管理を行ない、端末局からの発呼制御あるいは通信ルートの設定を行う制御等を行う。なお、回線制御装置４０１は、基地局４０２−１または基地局４０２−ｍと一体に構成される場合と、図４のように場所的に離れた場所に設置される場合もある。この場合、回線制御装置４０１と基地局４０２とは、有線またはマイクロ回線等の伝送路４０８−１、・・・４０８−ｍ等で接続されるのが一般的である。また、ここで説明する端末局とは、車両等に搭載された移動無線機、携帯無線機あるいは情報端末局等を含むものとする。
【０００５】
４０５は、運用管理装置であり、回線制御装置４０１とＬＡＮ（Local Area Network）等の伝送路で接続されている。そして、管理者等が操作して回線制御装置４０１の各種動作およびこのデジタル無線通信システムのシステム情報の設定あるいは変更等をすることができる。
【０００６】
図５は、回線制御装置４０１の概略構成のブロック図である。図５において、５０１は、例えば、呼制御ＣＰＵで構成された制御部、５０２は、記憶部、５０３は、回線制御装置４０１と外部装置とを接続するためのＩ／Ｆ（インターフェース）部である。５０４は、入出力端子で、外部装置と接続される。なお、制御部５０１は、図４に示すデジタル無線通信システムの動作を制御するためのもので、以下においては、呼制御ＣＰＵ５０１と称する。また、Ｉ／Ｆ（インターフェース）部５０３、入出力端子５０４は、１つのみ示されているが、後述するように複数の外部装置と接続されるために、複数設けられることはいうまでもない。
【０００７】
図６は、回線制御装置４０１の構成を説明するための図であり、呼制御ＣＰＵ５０１および各Ｉ／Ｆ部を示している。また、呼制御ＣＰＵ５０１は、その動作を模式的に説明するためのシステム情報の流れと、各タスクの実行部を示している。ここでタスクとは、呼制御ＣＰＵ５０１がプログラムを実行する場合の処理の実行単位を意味するものとする。図６において、１０１は、基地局４０２と接続される入出力端子であり、基地局Ｉ／Ｆ（インターフェース）部１１１を介して呼制御ＣＰＵ５０１のＯＳ／ドライバ１２１に結合される。１０２は、有線端末局４０６と接続される入出力端子であり、有線端末局Ｉ／Ｆ部１１２を介して呼制御ＣＰＵ５０１のＯＳ／ドライバ１２１に結合される。１０３は、例えば、回線制御装置４０１内に設けられている基地局あるいは端末局間の交換接続部（図示せず。）と接続される入出力端子であり、上述と同様に交換制御Ｉ／Ｆ部１１３を介して呼制御ＣＰＵ５０１のＯＳ／ドライバ１２１に結合される。
【０００８】
１０４は、保守コンソール４０７と接続される入出力端子であり、保守コンソールＩ／Ｆ部１１４を介して呼制御ＣＰＵ５０１のＯＳ／ドライバ１２１に結合される。１０５は、運用管理装置４０５と接続される入出力端子であり、運用管理Ｉ／Ｆ部１１５を介して呼制御ＣＰＵ５０１のＯＳ／ドライバ１２１に結合される。また、１０６は、例えば、図４に示されるデジタル無線通信システムとは別のシステムの回線制御装置の呼制御ＣＰＵ（図示せず。）との情報交換あるいはデータ交換のために接続される入出力端子であり、他系制御ＣＰＵＩ／Ｆ部１１６を介して呼制御ＣＰＵ５０１のＯＳ／ドライバ１２１に結合される。
【０００９】
１２２は、後述する各タスク実行部と、ＯＳ／ドライバ１２１を介して上述した各Ｉ／Ｆ部１１１〜１１６と通信するための通信制御タスク実行部である。基地局タスク実行部１３１は、基地局Ｉ／Ｆ部１１１を介して入出力される、例えば、端末局からの発呼制御、通信ルートの設定、端末局の位置登録、終話検出等の呼管理情報の処理に関するタスクを実行する。有線端末局タスク実行部１３２は、有線端末局Ｉ／Ｆ部１１２を介して入出力される、例えば、有線端末局４０６と各端末局４０４との接続管理情報の処理に関するタスクを実行する。交換制御タスク実行部１３３は、有線端末局４０６、基地局４０２あるいは端末局４０４間の呼交換接続のための情報交換あるいはデータ交換のために、交換制御Ｉ／Ｆ部１１３を介して入出力される情報の処理に関するタスクを実行する。
【００１０】
保守コンソールタスク実行部１３４は、保守コンソールＩ／Ｆ部１１４を介して入出力される回線制御装置４０１およびデジタル無線システムのトラブルや不具合情報の処理に関するタスクを実行する。運用管理タスク実行部１３５は、運用管理装置４０５を操作することにより運用管理Ｉ／Ｆ部１１５を介して入出力される回線制御装置４０１の各種動作およびデジタル無線通信システムのシステム情報の設定あるいは変更等の情報の処理に関するタスクを実行する。ＣＰＵ間転送タスク実行部１３６は、別のシステムの回線制御装置の呼制御ＣＰＵとの情報交換あるいはデータ交換のために、他系制御ＣＰＵＩ／Ｆ部１１６を介して入出力される情報の処理に関するタスクを実行する。
【００１１】
呼管理タスク実行部１４１は、基地局タスク実行部１３１、有線端末局タスク実行部１３２および交換制御タスク実行部１３３との相互の関連処理を実行する部署で、呼の接続制御を行う。即ち、図４に示される基地局４０２と端末局４０４間の通話制御、端末局４０４間の通話制御、有線端末局４０６の通話制御あるいは基地局間、端末局間の交換接続等の呼制御、例えば、端末局からの発呼制御、通信ルートの設定、端末局の位置登録、終話検出等の呼管理に関するタスクを実行する。
【００１２】
状態制御タスク実行部６０１は、保守コンソールタスク実行部１３４、運用管理タスク実行部１３５およびＣＰＵ間転送タスク実行部１３６を統括する部署であり、デジタル無線通信システムのシステム設定情報管理処理、システムの立ち上げ処理、システムの状態管理処理あるいはシステムの障害管理処理等のタスクを実行する。なお、上述した各タスク実行部とは、呼制御ＣＰＵ５０１のソフトウエア処理部を意味し、また、各タスク実行部が独立して存在するものではなく、呼制御ＣＰＵ５０１の処理部で一体として実行されるものであることはいうまでもないが、ここでは、説明の都合上、各タスク実行部を区別して説明することにする。また、他系統のデジタル無線通信システムと情報交換等をする必要がない場合には、ＣＰＵ間転送タスク実行部１３６は、不要である。
【００１３】
さて、このように構成されたデジタル無線通信システムにおいて、システム情報の設定や変更等は、運用管理装置４０５から行われる。ここで、システム情報とは、例えば、デジタル無線通信システムＩＤ／名称、基地局ＩＤ／名称、有線端末局ＩＤ／名称、移動局グループ情報あるいは基地局の使用無線キャリア周波数等、デジタル無線通信システムの動作あるいは管理に必要な種々の情報である。これを、例えば、表１に示す。
【００１４】
【表１】
2008154067.tif 000003
表１において、例えば、Ａ空港デジタル無線通信システムのＩＤは、０００１、Ｂ空港デジタル無線通信システムのＩＤは、００１０である。また、基地局Ｎｏ．は、４０２−１、・・・４０２−ｍ、移動局は、４０４−１、４０４−２、・・・４０４−ｎというように、図４に示されるデジタル無線通信システムで用いられる全ての情報がシステム情報格納テーブルとして登録されている。このシステム情報テーブルは、例えば、回線制御装置４０１の記憶部５０２に記憶されている。なお、表１に示すシステム情報格納テーブルの内容は、デジタル無線通信システムの目的、構成、規模等に応じて種々変更、修正することができる。
【００１５】
さて上記のような構成のデジタル無線通信システムの動作を簡単に説明する。運用管理装置４０５から、例えば、表１に示すシステム情報の設定あるいは変更を行う場合について説明する。運用管理装置４０５からのシステム情報の設定あるいは変更の情報（以下、システム設定情報と称する。）は、入出力端子１０５、運用管理Ｉ／Ｆ部１１５を介して呼制御ＣＰＵ５０１に入力される。
【００１６】
呼制御ＣＰＵ５０１では、入力されたシステム設定情報は、ＯＳ／ドライバ１２１、通信制御タスク実行部１２２を経由し、運用管理タスク実行部１３５に到達する。運用管理タスク実行部１３５では、システム設定情報を受信した場合、状態制御タスク実行部６０１に送信する。状態制御タスク実行部６０１では、デジタル無線通信システムの各部署（以下、外部装置という。）、例えば、基地局４０２あるいは有線端末局４０６等が既に保持しているシステム情報のバージョンと、受信されたシステム設定情報のバージョンを比較し、新規設定あるいは変更の要否を確認する。そして、例えば、受信されたシステム設定情報のバージョンの方が新しい場合には、表１に示す内容の該当する内容を書換えたり、あるいは、所定の部署にシステム設定情報を配信する。なお、配信の必要がある場合は、状態制御タスク実行部６０１は、システム設定情報から必要な情報を抜き出し、システム情報格納テーブルの設定、変更を行い、また、新規設定、変更の必要な外部装置に送信する送信電文を作成する。そして、状態制御タスク実行部６０１は、上記のようにして作成された送信電文を通信制御タスク実行部１２２、ＯＳ／ドライバ１２１および各Ｉ／Ｆ部を介して外部装置に送出する。
【００１７】
さて、従来のデジタル無線通信システムにおいては、状態制御タスク実行部６０１は、保守コンソールタスク実行部１３４、運用管理タスク実行部１３５およびＣＰＵ間転送タスク実行部１３６を統括する部署であり、デジタル無線通信システムのシステム設定情報管理処理、システムの立ち上げ処理、システムの状態管理処理あるいはシステムの障害管理処理等のタスクを実行する、所謂、デジタル無線通信システムの全ての処理を担うことになっており、複数のタスク処理の管理が非常に複雑になる。また、状態制御タスク実行部６０１内に数多くのタスク処理が入り混じった場合、このプログラム構造は、仕様変更等の場合のプログラムの修正範囲が明確でなく、また、共通システムとしてのシステムのプラットフォーム化（基本構成）ができない、あるいは、流用性が悪くなる。更に、状態制御タスク実行部６０１は、数多くのタスク処理をすることにより、高負荷状態となり、タスク処理の遅延の可能性も高くなる。従って、これらを解消するデジタル無線通信システムの実現が望まれている。
【００１８】
【特許文献１】特開２００４−１９９４２３号公報
【発明の開示】
【発明が解決しようとする課題】
【００１９】
デジタル無線通信システムの状態制御タスク実行部は、デジタル無線通信システムの全ての処理を担うことになっており、複数のタスク処理の管理が非常に複雑になる。また、状態制御タスク実行部内に数多くのタスク処理が入り混じった場合、このプログラム構造は、仕様変更等の場合のプログラムの追加あるいは修正範囲が明確でなく、また、共通システムとしてのシステムのプラットフォーム化に支障をきたす。更に、状態制御タスク実行部は、数多くのタスク処理をすることにより、高負荷状態となり、タスク処理の遅延の可能性も高くなる。
【００２０】
本発明の目的は、システムのプラットフォーム化が容易に行えるデジタル無線通信システムを提供することである。
【００２１】
本発明の他の目的は、仕様変更等の場合のプログラムの追加あるいは修正が容易に行えるデジタル無線通信システムを提供することである。
【００２２】
本発明の更に他の目的は、高負荷状態を解消し、処理の遅延を解消するデジタル無線通信システムを提供することである。
【課題を解決するための手段】
【００２３】
本発明のデジタル無線通信システムは、回線制御装置と、回線制御装置に接続された少なくとも基地局および有線端末局と、上記回線制御装置のシステム情報の設定を行う運用管理装置と、上記基地局と無線回線で接続される複数の端末局を有し、上記回線制御装置は、呼制御ＣＰＵと記憶部を有し、上記記憶部に上記システム情報をシステム情報格納テーブルとして記憶し、上記呼制御ＣＰＵは、上記デジタル無線通信システムの少なくとも立ち上げ処理および状態管理処理を行う状態制御タスク実行部と、上記運用管理装置から入力されるシステム設定情報のタスク処理を行うシステム情報管理タスク実行部を有し、上記システム情報管理タスク実行部が上記システム情報格納テーブルの内容を書換えるように構成される。
【００２４】
また、本発明のデジタル無線通信システムにおいて、上記システム情報管理タスク実行部は、上記運用管理装置からのシステム情報更新開始情報を受けると、該システム情報更新開始情報を上記状態制御タスク実行部に送信し、上記システム情報管理タスク実行部が上記運用管理装置から入力されるシステム設定情報のタスク処理を全て終了すると、上記システム情報管理タスク実行部は、システム情報更新終了情報を上記状態制御タスク実行部に送信するように構成される。
【００２５】
また、本発明のデジタル無線通信システムにおいて、上記システム設定情報は、少なくとも基地局設定情報、有線端末局設定情報および移動局設定情報のいずれかからなる。
【００２６】
また、本発明のデジタル無線通信システムにおいて、上記システム情報格納テーブルは、少なくとも基地局情報テーブル、有線端末局情報テーブルおよび移動局情報テーブルのいずれか１つを含む。
【発明の効果】
【００２７】
以上説明したように、本発明によれば、複数のタスク処理を分散させ、タスク処理の管理を簡単にすると共に、仕様変更等の場合のプログラムの追加あるいは修正が容易に行える特徴がある。また、共通システムとしてのシステムのプラットフォーム化が容易であり、また、複数のタスク処理を分散させることにより負荷を軽減し、タスク処理の遅延を解消する等の特徴がある。
【発明を実施するための最良の形態】
【００２８】
以下、本発明について詳細に説明するが、その前に、本発明の内容をよく理解するために、従来のタスク処理の内容について図７〜図９を用いて説明する。図７は、例えば、運用管理装置４０５からシステム情報の設定あるいは変更の情報（以下、システム設定情報と称する。）を入力した場合、このシステム設定情報に基づいてデジタル無線通信システムの各部署（外部装置と称する。）が新たにシステム情報を設定あるいは変更される動作について説明する。
【００２９】
図７は、運用管理装置４０５と呼制御ＣＰＵ５０１の動作を説明するためのフローチャートを示す。なお、運用管理装置４０５は、システムのセキュリテイ保護のため、デジタル無線通信システムの管理のためにオーソライズされた管理者が操作することは言うまでもない。また、図４および図６と同じものには同じ符号が付されている。図７において、まず、運用管理装置４０５で基地局４０２−３、有線端末局４０６−３および基地局４０２−３の使用無線キャリアＦ３をそれぞれ新規に追加する場合を説明する。表２は、例えば、既存のデジタル無線通信システムの構成と、システム情報の一例を示す。
【００３０】
【表２】
2008154067.tif 000004
表２に示すデジタル無線通信システムは、例えば、Ａ空港のデジタル無線通信システムであり、２台の基地局４０２−１、４０２−２、ｎ個の移動局４０４−１、・・・４０４−ｎ、２台の有線端末局４０６−１、４０６−２、移動局グループＧ１、Ｇ２、・・・および基地局４０２−１の使用する無線キャリアは、Ｆ１、基地局４０２−２の使用する無線キャリアは、Ｆ２であることを示している。この表２に示すシステム情報格納テーブルは、図５に示す回線制御装置４０１の記憶部５０２に記憶されている。
【００３１】
この表２に示す既存のデジタル無線通信システムの機能を増設するために、表３に示すように、基地局４０２−３を増設し、それに使用する無線キャリア周波数をＦ３とする。更に、有線端末局４０６−３を回線制御装置４０１に増設する場合の例で説明する。なお、表３に示す例は、一例であってこれに限定されるものではない。
【００３２】
【表３】
2008154067.tif 000005
さて、運用管理装置４０５の管理者は、例えば、入力部（図示せず。）を操作して表３に示す新規登録する外部装置等の名称、ＩＤ（またはＮｏ．）等をシステム設定情報として入力する。運用管理装置４０５で入力されたシステム設定情報は、運用管理Ｉ／Ｆ部１１５、ＯＳ／ドライバ１２１を介して通信制御タスク実行部１２２に供給され、適宜信号処理され、運用管理タスク実行部１３５に供給される（ステップ７０１）。運用管理タスク実行部１３５では、送られたシステム設定情報から必要なデータを取出し、状態制御タスク実行部６０１に送信する（ステップ７０２）。この時、システム設定情報は、多くのデータを有しているため、１／Ｎ（Ｎ：正の整数）に分割して送信される。なお、システム設定情報は、分割して送る必要がないときは、一度に送信される。
【００３３】
状態制御タスク実行部６０１では、運用管理タスク実行部１３５から送られてくるシステム設定情報のデータからシステム情報として新たに設定あるいは変更を必要とするシステム設定情報を抽出し、回線制御装置４０１の記憶部５０２に記憶されている表２に示すシステム情報格納テーブルを順次書換える（ステップ７０３）。ステップ７０４では、別のシステム設定情報が運用管理装置４０５から入力され、運用管理タスク実行部１３５に供給される。運用管理タスク実行部１３５では、上述と同様に必要なデータを取出し、状態制御タスク実行部６０１に送信する（ステップ７０５）。そして、Ｎ個の全てのシステム設定情報の更新が完了する（ステップ７０６）。この状態は、例えば、記憶部５０２の表２に示すシステム情報格納テーブルが表３に示すシステム情報格納テーブルに更新された状態である。
【００３４】
状態制御タスク実行部６０１では、Ｎ個の全てのシステム設定情報の更新が完了すると、システム設定情報応答を運用管理装置４０５に送信する（ステップ７０７）。これによって運用管理装置４０５の管理者は、システム設定情報の入力を確認することができる。確認方法は、例えば、表３に示すシステム情報格納テーブルを運用管理装置４０５に設けられた操作表示部（図示せず。）に表示することで確認できる。
【００３５】
次に、状態制御タスク実行部６０１では、デジタル無線通信システムの各部署（以下、外部装置ともいう。）、例えば、基地局あるいは有線端末局等が既に保持しているシステム情報のバージョンと、受信されたシステム設定情報のバージョンを比較し、新規設定あるいは変更の要否を確認する（ステップ７０８）。そして、例えば、受信されたシステム設定情報のバージョンが既存の基地局あるいは有線端末局のバージョンより新しい場合（Ｙｅｓの場合）には、所定の部署にシステム設定情報を配信する（ステップ７０９）。新しくない場合（Ｎｏの場合）は、システム設定情報の配信は行わない。
【００３６】
次に、基地局、有線端末局のバージョンが新しい場合（ステップ７０９）について、図８、図９を用いて説明する。図８は、基地局４０２のシステム情報を更新する場合のフローチャートを示す。なお、図４、図６と同じものには同じ符号が付されている。状態制御タスク実行部６０１では、まず、基地局情報の更新の有無を判定する（ステップ８０１）。この判定は、例えば、記憶部５０２に記憶されている表３のシステム情報格納テーブルの項目Ｎｏ．２：基地局を参照すると、更新情報のあることが分かる。表３では、基地局４０２−３が新規登録されている。従って、更新情報ありの場合（Ｙｅｓの場合）、状態制御タスク実行部６０１は、基地局向けシステムバージョン情報を基地局タスク実行部１３１、通信制御タスク実行部１２２、ＯＳ／ドライバ１２１、基地局Ｉ／Ｆ部１１１を介して各基地局４０２に送信する（ステップ８０２）。本例の場合、基地局４０２は、基地局４０２−１、４０２−２および４０２−３の３台あるので、それぞれについて基地局向けシステムバージョン情報を送信する。この基地局向けシステムバージョン情報を受信した基地局は、それぞれ基地局向けシステムバージョン情報応答、例えば、現在設定されているバージョン情報を状態制御タスク実行部６０１に送信する（ステップ８０３）。
【００３７】
状態制御タスク実行部６０１では、送信された基地局向けシステムバージョン情報応答に基づいて基地局向けシステム設定情報の抽出を行う（ステップ８０４）。この基地局向けシステム設定情報の抽出は、例えば、既存のバージョンの基地局か、あるいはバージョンが新しくなった基地局かを判定し、バージョンが新しくなった基地局については、システム設定情報の電文を作成する。そして、各基地局４０２に上記電文の配信の有無を判定する（ステップ８０５）。判定の結果、配信要の場合（Ｙｅｓの場合）、基地局タスク実行部１３１、通信制御タスク実行部１２２を介して基地局４０２に基地局向けシステム設定情報を送信する（ステップ８０６）。図８では、基地局４０２−３（新規登録）に基地局向けシステム設定情報の電文を送信する。判定の結果、配信不要の場合（Ｎｏの場合）は、既存のバージョンの基地局であるので、基地局向けシステム設定情報の送信は行わない。図８では、基地局４０２−１、４０２−２が対応する。なお、この基地局向けシステム設定情報の電文には、例えば、基地局４０２−３で使用される使用無線キャリア周波数Ｆ３（新規登録）の情報も含まれる。
【００３８】
基地局向けシステム設定情報の電文の送信を受けた基地局４０２−３では、自己のシステム設定情報の更新（新たな場合には新規設定）を行う（ステップ８０７）。そして、システム設定情報更新通知を状態制御タスク実行部６０１に送信する（ステップ８０８）。状態制御タスク実行部６０１は、上記のような処理を全ての基地局４０２に実行し、全基地局が終了したかを判定する（ステップ８０９）。
【００３９】
基地局４０２のシステム設定情報の更新が終了すると、続いて、例えば、有線端末局４０６のシステム設定情報の更新を行う。これを図９を用いて説明する。図９は、有線端末局４０６のシステム情報を更新する場合のフローチャートを示す。なお、図４、図６と同じものには同じ符号が付されている。状態制御タスク実行部６０１では、まず、有線端末局情報の更新の有無を判定する（ステップ９０１）。この判定は、例えば、記憶部５０２に記憶されている表３のシステム情報格納テーブルの項目Ｎｏ．４：有線端末局を参照すると、更新情報のあることが分かる。表３では、有線端末局４０６−３が新規登録されている。従って、更新情報ありの場合（Ｙｅｓの場合）、状態制御タスク実行部６０１は、有線端末局向けシステムバージョン情報を有線端末局タスク実行部１３２、通信制御タスク実行部１２２、ＯＳ／ドライバ１２１、有線端末局Ｉ／Ｆ部１１２を介して各有線端末局４０６に送信する（ステップ９０２）。本例の場合、有線端末局４０６は、有線端末局４０６−１、４０６−２および４０６−３の３台あるので、それぞれについて有線端末局向けシステムバージョン情報を送信する。この有線端末局向けシステムバージョン情報を受信した有線端末局は、それぞれ有線端末局向けシステムバージョン情報応答、例えば、現在設定されているバージョン情報を状態制御タスク実行部６０１に送信する（ステップ９０３）。
【００４０】
状態制御タスク実行部６０１では、送信された有線端末局向けシステムバージョン情報応答に基づいて有線端末局向けシステム設定情報の抽出を行う（ステップ９０４）。この有線端末局向けシステム設定情報の抽出は、例えば、既存のバージョンの有線端末局か、あるいはバージョンが新しくなった有線端末局かを判定し、バージョンが新しくなった有線端末局については、システム設定情報の電文を作成する。そして、各有線端末局４０６に上記電文の配信の有無を判定する（ステップ９０５）。判定の結果、配信要の場合（Ｙｅｓの場合）、有線端末局タスク実行部１３２、通信制御タスク実行部１２２を介して有線端末局４０６に有線端末局向けシステム設定情報を送信する（ステップ９０６）。図９では、有線端末局４０６−３（新規登録）に有線端末局向けシステム設定情報の電文を送信する。判定の結果、配信不要の場合（Ｎｏの場合）は、既存のバージョンの有線端末局であるので、有線端末局向けシステム設定情報の送信は行わない。図９では、有線端末局４０６−１、４０６−２が対応する。
【００４１】
有線端末局向けシステム設定情報の電文の送信を受けた有線端末局４０６−３では、自己のシステム設定情報の更新（新たな場合には新規設定）を行う（ステップ９０７）。そして、システム設定情報更新通知を状態制御タスク実行部６０１に送信する（ステップ９０８）。状態制御タスク実行部６０１は、上記のような処理を全ての有線端末局４０６について実行し、全有線端末局が終了したかを判定する（ステップ９０９）。
【００４２】
なお、上記の例では、基地局と有線端末局のシステム設定情報の更新についてのみ説明したが、このようなシステム設定情報の更新は、基地局や有線端末局に限らず、デジタル無線通信システムの全ての部署（外部装置を含む。）について行われることは言うまでもない。
【００４３】
以上説明したように、従来のデジタル無線通信システムでは、状態制御タスク実行部６０１は、デジタル無線通信システムのシステム設定情報管理処理、システムの立ち上げ処理、システムの状態管理処理あるいはシステムの障害管理処理等の殆ど全てのタスクを実行する。従って、状態制御タスク実行部６０１に負荷が集中し、処理が遅延するばかりか、システムのバージョンアップや機能の拡張あるいはシステムの増設等に対して十分対応が取れていないのが現状である。
【００４４】
次に、本発明の一実施例について図１〜図３を用いて説明する。なお、本発明の一実施例においてもデジタル無線通信システムの構成および回線制御装置の構成は、図４および図５に示す構成とほぼ同じであるので、詳細な説明は省略する。図１は、本発明の一実施例の概略構成を示す図であって、呼制御ＣＰＵ１００および各Ｉ／Ｆ部を示している。また、呼制御ＣＰＵ１００は、その動作を模式的に説明するためのシステム情報の流れと、各タスクの実行部を示している。ここでタスクとは、図６で説明したと同様に、呼制御ＣＰＵ１００がプログラムを実行する場合の処理の実行単位を意味するものとする。図１において、１３７は、システム情報管理タスク実行部、１４２は、状態制御タスク実行部である。なお、図６と同じものには同じ符号が付されている。システム情報管理タスク実行部１３７は、システムの設定や変更等（以下、システム設定情報という。）の管理処理のタスクを専門に行う部署である。具体的には、例えば、表１に示されるようなシステムＩＤ、名称等のデジタル無線通信システムの各部署（外部装置を含む。）の設定、変更等のタスク処理を実行する。
【００４５】
状態制御タスク実行部１４２は、図６で示す状態制御タスク実行部６０１とは異なっている。即ち、保守コンソールタスク実行部１３４、運用管理タスク実行部１３５、ＣＰＵ間転送タスク実行部１３６およびシステム情報管理タスク実行部１３７を統括する部署であり、デジタル無線通信システムの立ち上げ処理、システムの状態管理処理あるいはシステムの障害管理処理等のタスクを実行する。なお、上述した各タスク実行部とは、呼制御ＣＰＵ１００のソフトウエア処理部を意味し、また、各タスク実行部が独立して存在するものではなく、呼制御ＣＰＵ１００の処理部で一体として実行されるものであることはいうまでもないが、ここでは、説明の都合上、各タスク実行部を区別して説明することにする。また、他系統のデジタル無線通信システムと情報交換等をする必要がない場合には、他系制御ＣＰＵＩ／Ｆ部１１６およびＣＰＵ間転送タスク実行部１３６は、不要である。
【００４６】
次に、図１に示す呼制御ＣＰＵ１００の動作を図２および図３を用いて説明する。図２は、運用管理装置４０５と呼制御ＣＰＵ１００の動作を説明するためのフローチャートを示す。なお、図１および図４と同じものには同じ符号が付されている。図２において、まず、運用管理装置４０５で基地局４０２−３、有線端末局４０６−３および基地局４０２−３の使用無線キャリアＦ３をそれぞれ新規に追加する場合を説明する。なお、ここで説明する、例えば、既存のデジタル無線通信システムの構成と、システム情報の一実施例は、表２に示す場合と同じもので説明する。
【００４７】
即ち、表２に示すデジタル無線通信システムは、例えば、Ａ空港のデジタル無線通信システムであり、２台の基地局４０２−１、４０２−２、ｎ個の移動局４０４−１、・・・４０４−ｎ、２台の有線端末局４０６−１、４０６−２、移動局グループＧ１、Ｇ２、・・・および基地局４０２−１の使用する無線キャリアは、Ｆ１、基地局４０２−２の使用する無線キャリアは、Ｆ２であることを示している。この表２に示すシステム情報格納テーブルは、図５に示す回線制御装置４０１の記憶部５０２に記憶されているものとする。なお、システム情報格納テーブルには、基地局情報テーブル、有線端末局情報テーブル、移動局情報テーブル、基地局規制テーブル等があるが、本実施例では、これらを代表してシステム情報格納テーブルとして説明する。
【００４８】
さて、表２に示す既存のデジタル無線通信システムの機能を増設するために、表３に示すように、基地局４０２−３を増設し、それに使用する無線キャリア周波数をＦ３とする。更に、有線端末局４０６−３を回線制御装置４０１に増設する場合の例で説明する。なお、表３に示す例は、一例であってこれに限定されるものではない。
【００４９】
図２において、運用管理装置４０５の管理者がデジタル無線通信システムの機能を設定あるいは変更する場合、まず、管理者は、例えば、入力部（図示せず。）を操作して、システム情報更新開始通知を運用管理Ｉ／Ｆ部１１５、ＯＳ／ドライバ１２１、通信制御タスク実行部１２２、運用管理タスク実行部１３５を介してシステム情報管理タスク実行部１３７に送信する（ステップ２０１）。システム情報更新開始通知を受けたシステム情報管理タスク実行部１３７は、システム情報更新開始通知を呼制御ＣＰＵ１００を制御する状態制御タスク実行部１４２に送信する。これによって状態制御タスク実行部１４２は、運用管理装置４０５の管理者からのシステム情報の設定あるいは変更（以下、システム設定情報と称する。）を認識する。同時に、システム情報管理タスク実行部１３７は、システム情報更新開始応答を通信制御タスク実行部１２２を介して運用管理装置４０５に通知する（ステップ２０３）。これによって運用管理者は、システム設定情報の送信が可能であることを認識する。
【００５０】
そして、運用管理者は、まず、表３に示す新規登録する外部装置等の名称、ＩＤ（またはＮｏ．）等のシステム設定情報を入力する。運用管理装置４０５で入力されたシステム設定情報は、運用管理Ｉ／Ｆ部１１５、ＯＳ／ドライバ１２１を介して通信制御タスク実行部１２２に供給され、適宜信号処理され、運用管理タスク実行部１３５に供給される（ステップ２０４）。運用管理タスク実行部１３５では、送られたシステム設定情報から必要なデータを取出し、システム情報管理タスク実行部１３７に送信する（ステップ２０５）。この時、システム設定情報は、多くのデータを有しているため、１／Ｎ（Ｎ：正の整数）に分割して送信される。なお、システム設定情報は、分割して送る必要がないときは、一度に送信される。
【００５１】
システム情報管理タスク実行部１３７では、運用管理タスク実行部１３５から送られてくるシステム設定情報のデータからシステム情報として新たに設定あるいは変更を必要とするシステム設定情報を抽出し、回線制御装置４０１の記憶部５０２に記憶されている表２に示すシステム情報格納テーブルを順次書換える（ステップ２０６）。ステップ２０７では、別のシステム設定情報が運用管理装置４０５から入力され、運用管理タスク実行部１３５に供給される。運用管理タスク実行部１３５では、上述と同様に必要なデータを取出し、システム情報管理タスク実行部１３７に送信する（ステップ２０８）。そして、Ｎ個の全てのシステム設定情報の更新が完了する（ステップ２０９）。この状態は、例えば、記憶部５０２の表２に示すシステム情報格納テーブルが表３に示すシステム情報格納テーブルに更新された状態である。
【００５２】
システム情報管理タスク実行部１３７では、Ｎ個の全てのシステム設定情報の更新が完了すると、システム設定情報応答を運用管理装置４０５に送信する（ステップ２１０）。これによって運用管理装置４０５の管理者は、システム設定情報の入力を確認することができる。確認方法は、例えば、表３に示すシステム情報格納テーブルを運用管理装置４０５に設けられた操作表示部（図示せず。）に表示することで確認できる。
【００５３】
次に、システム情報管理タスク実行部１３７では、デジタル無線通信システムの各部署（以下、外部装置という。）、例えば、基地局あるいは有線端末局等が既に保持しているシステム情報のバージョンと、受信されたシステム設定情報のバージョンを比較し、新規設定あるいは変更の要否を確認する（ステップ２１１）。そして、例えば、受信されたシステム設定情報のバージョンが既存の基地局あるいは有線端末局のバージョンより新しい場合（Ｙｅｓの場合）には、所定の部署にシステム設定情報を配信する（ステップ２１２）。新しくない場合（Ｎｏの場合）は、システム設定情報の配信は行わない。
【００５４】
次に、基地局、有線端末局のバージョンが新しい場合（ステップ２１２）について、図３を用いて説明する。図３は、基地局４０２および有線端末局４０６のシステム情報を更新する場合のフローチャートを示す。なお、図１、図４と同じものには同じ符号が付されている。まず、基地局４０２のシステム情報を更新する場合について説明する。システム情報管理タスク実行部１３７では、基地局情報の更新の有無を判定する（ステップ３０１）。この判定は、例えば、記憶部５０２に記憶されている表３のシステム情報格納テーブルの項目Ｎｏ．２：基地局を参照すると、更新情報のあることが分かる。表３では、基地局４０２−３が新規登録されている。従って、更新情報ありの場合（Ｙｅｓの場合）、システム情報管理タスク実行部１３７は、基地局向けシステムバージョン情報を通信制御タスク実行部１２２、ＯＳ／ドライバ１２１、基地局Ｉ／Ｆ部１１１を介して各基地局４０２に送信する（ステップ３０２）。本実施例の場合、基地局４０２は、基地局４０２−１、４０２−２および４０２−３の３台あるので、それぞれについて基地局向けシステムバージョン情報を送信する。この基地局向けシステムバージョン情報を受信した基地局は、それぞれ基地局向けシステムバージョン情報応答、例えば、現在設定されているバージョン情報をシステム情報管理タスク実行部１３７に送信する（ステップ３０３）。
【００５５】
システム情報管理タスク実行部１３７では、送信された基地局向けシステムバージョン情報応答に基づいて基地局向けシステム設定情報の抽出を行う（ステップ３０４）。この基地局向けシステム設定情報の抽出は、例えば、既存のバージョンの基地局か、あるいはバージョンが新しくなった基地局かを判定し、バージョンが新しくなった基地局については、システム設定情報の電文を作成する。そして、各基地局４０２に上記電文の配信の有無を判定する（ステップ３０５）。判定の結果、配信要の場合（Ｙｅｓの場合）、通信制御タスク実行部１２２を介して基地局４０２に基地局向けシステム設定情報を送信する（ステップ３０６）。図３では、基地局４０２−３（新規登録）に基地局向けシステム設定情報の電文を送信する。判定の結果、配信不要の場合（Ｎｏの場合）は、既存のバージョンの基地局であるので、基地局向けシステム設定情報の送信は行わない。図３では、基地局４０２−１、４０２−２が対応する。なお、この基地局向けシステム設定情報の電文には、例えば、基地局４０２−３で使用される使用無線キャリア周波数Ｆ３（新規登録）の情報も含まれる。
【００５６】
基地局向けシステム設定情報の電文の送信を受けた基地局４０２−３では、自己のシステム設定情報の更新（新たな場合には新規設定）を行う（ステップ３０７）。そして、システム設定情報更新通知をシステム情報管理タスク実行部１３７に送信する（ステップ３０８）。システム情報管理タスク実行部１３７は、上記のような処理を全ての基地局４０２に実行し、全基地局が終了したかを判定する（ステップ３０９）。
【００５７】
基地局４０２のシステム設定情報の更新が終了すると、続いて、例えば、有線端末局４０６のシステム設定情報の更新を行う。システム情報管理タスク実行部１３７は、有線端末局情報の更新の有無を判定する（ステップ３１１）。この判定は、例えば、記憶部５０２に記憶されている表３のシステム情報格納テーブルの項目Ｎｏ．４：有線端末局を参照すると、更新情報のあることが分かる。表３では、有線端末局４０６−３が新規登録されている。従って、更新情報ありの場合（Ｙｅｓの場合）、システム情報管理タスク実行部１３７は、有線端末局向けシステムバージョン情報を通信制御タスク実行部１２２、ＯＳ／ドライバー１２１、有線端末局Ｉ／Ｆ部１１２を介して各有線端末局４０６に送信する（ステップ３１２）。本実施例の場合、有線端末局４０６は、有線端末局４０６−１、４０６−２および４０６−３の３台あるので、それぞれについて有線端末局向けシステムバージョン情報を送信する。この有線端末局向けシステムバージョン情報を受信した有線端末局は、それぞれ有線端末局向けシステムバージョン情報応答、例えば、現在設定されているバージョン情報を状態制御タスク実行部６０１に送信する（ステップ３１３）。
【００５８】
システム情報管理タスク実行部１３７では、送信された有線端末局向けシステムバージョン情報応答に基づいて有線端末局向けシステム設定情報の抽出を行う（ステップ３１４）。この有線端末局向けシステム設定情報の抽出は、例えば、既存のバージョンの有線端末局か、あるいはバージョンが新しくなった有線端末局かを判定し、バージョンが新しくなった有線端末局については、システム設定情報の電文を作成する。そして、各有線端末局４０６に上記電文の配信の有無を判定する（ステップ３１５）。判定の結果、配信要の場合（Ｙｅｓの場合）、通信制御タスク実行部１２２を介して有線端末局４０６に有線端末局向けシステム設定情報を送信する（ステップ３１６）。図３では、有線端末局４０６−３（新規登録）に有線端末局向けシステム設定情報の電文を送信する。判定の結果、配信不要の場合（Ｎｏの場合）は、既存のバージョンの有線端末局であるので、有線端末局向けシステム設定情報の送信は行わない。図３では、有線端末局４０６−１、４０６−２が対応する。
【００５９】
有線端末局向けシステム設定情報の電文の送信を受けた有線端末局４０６−３では、自己のシステム設定情報の更新（新たな場合には新規設定）を行う（ステップ３１７）。そして、システム設定情報更新通知をシステム情報管理タスク実行部１３７に送信する（ステップ３１８）。システム情報管理タスク実行部１３７は、上記のような処理を全ての有線端末局４０６について実行し、全有線端末局が終了したかを判定する（ステップ３１９）。以上のようにして運用管理装置４０５の管理者がデジタル無線通信システムの各部署（外部装置を含む。）の設定、変更を行った全てのもの設定、変更が終了すると、システム情報管理タスク実行部１３７は、システム情報更新終了通知を状態制御タスク実行部１４２に送信する。これによって状態制御タスク実行部１４２は、デジタル無線通信システムの全てのシステム情報の設定、変更が完了したことを認識する。
【００６０】
なお、上記の例では、基地局と有線端末局のシステム設定情報の更新についてのみ説明したが、このようなシステム設定情報の更新は、基地局や有線端末局に限らず、デジタル無線通信システムの全ての部署（外部装置を含む。）について行われることは言うまでもない。また、上記実施例で説明したシステム設定情報の電文には、基地局設定情報、有線端末局設定情報、移動局設定情報等、運用管理装置４０５で設定あるいは変更可能な情報が含まれる。
【００６１】
以上説明したように運用管理装置からのシステム情報の設定あるいは変更等は、システム情報管理タスク実行部でタスク処理され、状態制御タスク実行部でのタスク処理とは区別され、即ち、分散されるため、呼制御ＣＰＵの状態制御タスク実行部の処理負荷が軽減される。また、システム情報管理タスク実行部では、運用管理装置からのシステム情報の設定あるいは変更等のシステム設定情報の処理を実行するので、タスク処理の管理が簡単になり、また、仕様変更等の場合のプログラムの追加あるいは修正が容易に行える特徴がある。更に、状態制御タスク実行部は、各種システムで共通化でき、システムのプラットフォーム化が容易である。
【００６２】
以上、本発明について詳細に説明したが、本発明は、ここに記載されたデジタル無線通信システムの実施例に限定されるものではなく、上記以外のデジタル無線通信システムに広く適応することが出来ることは、いうまでもない。
【図面の簡単な説明】
【００６３】
【図１】本発明の一実施例の概略構成のブロック図を示す。
【図２】図１に示す本発明の一実施例の動作を説明するためのフローチャートを示す。
【図３】図２に示す基地局、有線端末局更新の動作を説明するためのフローチャートを示す。
【図４】デジタル無線通信システムの概略構成のブロック図を示す。
【図５】図４で用いられる回線制御装置の概略構成のブロック図を示す。
【図６】従来の呼制御ＣＰＵの一例の概略構成のブロック図を示す。
【図７】図６で示す呼制御ＣＰＵの動作を説明するためのフローチャートを示す。
【図８】図７に示す基地局更新の動作を説明するためのフローチャートを示す。
【図９】図７に示す有線端末局更新の動作を説明するためのフローチャートを示す。
【符号の説明】
【００６４】
１００、５０１：呼制御ＣＰＵ、１０１、１０２、１０３、１０４、１０５、１０６、５０４：入出力端子、１１１：基地局Ｉ／Ｆ部、１１２：有線端末局Ｉ／Ｆ部、１１３：交換制御Ｉ／Ｆ部、１１４：保守コンソールＩ／Ｆ部、１１５：運用管理Ｉ／Ｆ部、１１６：他系呼制御ＣＰＵＩ／Ｆ部、１２１：ＯＳ／ドライバー、１２２：通信制御タスク実行部、１３１：基地局タスク実行部、１３２：有線端末局タスク実行部、１３３：交換制御タスク実行部、１３４：保守コンソールタスク実行部、１３５：運用管理タスク実行部、１３６：ＣＰＵ間転送タスク実行部、１３７：システム情報管理タスク実行部、１４１：呼管理タスク実行部、１４２、６０１：状態制御タスク実行部、４０１：回線制御装置、４０２：基地局、４０３：通信エリア、４０４：端末局、４０５：運用管理装置、４０６：有線端末局、４０７：保守コンソール、４０８：伝送路、５０２：記憶部、５０３：各Ｉ／Ｆ部。
【図１】
2008154067.tif 000006
【図２】
2008154067.tif 000007
【図３】
2008154067.tif 000008
【図４】
2008154067.tif 000009
【図５】
2008154067.tif 000010
【図６】
2008154067.tif 000011
【図７】
2008154067.tif 000012
【図８】
2008154067.tif 000013
【図９】
2008154067.tif 000014